(57)【要約】  【課題】  リモコン側でも、テレビ本体側が、リモコンから送られたコマンドを入力処理できる状態か否かを確認可能にする。  【解決手段】  リモコン２０からの操作信号が赤外線受信部１２に受信されると、受信した操作信号に対応するコマンドの実行が可能か否かを判断し、コマンドを直ちに実行することが不可能である場合は（Ｓ１ＹＥＳ）、さらに、そのコマンドを実行できるまで保存して待機することが可能か否かを判断し、可能である場合は（Ｓ２ＹＥＳ）、そのコマンドを記憶部１４に格納する（Ｓ３）。次いで、そのコマンドを待機させたことを表すコマンド待機信号を作成し、リモコン２０側へ送信する（Ｓ４）。次に、コマンド待機信号は、リモコン制御部２４に入力されると、コマンド待機信号に対応するランプ２３またはＬＥＤ２７を点灯するか、点滅表示させる（Ｓ５）。【選択図】  図２
2007324942.tif 000002
【特許請求の範囲】
【請求項１】
操作信号をワイヤレス又はワイヤードでテレビ本体へ送信するリモートコントロールシステムにおいて、
不受理／受理報知の為の報知手段をリモコン上に設けたことを特徴とするリモートコントロールシステム。
【請求項２】
操作信号をワイヤレス又はワイヤードでテレビ本体へ送信するリモートコントロールシステムにおいて、
リモコンからの操作信号がテレビ本体に受信されたときにテレビ本体が前記操作信号に基づいて切換処理が可能か否かを判別する判別手段と、該判別手段により切換処理が否と判別された場合であって前記操作信号から変換されたコマンドを待機させた後実行させることが可能である場合は前記コマンドを一時記憶メモリに格納して待機させるとともにコマンド待機信号を生成して出力する手段と、前記判別手段により切換処理が否と判別された場合であって前記操作信号から変換されたコマンドを待機させた後実行させることが不可能である場合はコマンド不受理信号を生成して出力する手段と、前記コマンド待機信号および前記コマンド不受理信号をリモコン側へ送信する送信器とをテレビ本体側に備え、
テレビ本体の送信器から送信されたコマンド待機信号および前記コマンド不受理信号を受信する受信器と、コマンド待機表示手段と、コマンド不受理表示手段と、前記受信器に前記コマンド待機信号が受信された場合に前記コマンド待機表示手段を点灯させる手段と、前記受信器に前記コマンド不受理信号が受信された場合に前記コマンド不受理表示手段を点灯させる手段とをリモコンに備えたことを特徴とするリモートコントロールシステム。
【請求項３】
操作信号をワイヤレス又はワイヤードでテレビ本体へ送信するリモートコントロールシステムにおいて、
リモコンからの操作信号がテレビ本体に受信されたときにテレビ本体が前記操作信号に基づいて切換処理が可能か否かを判別する判別手段と、該判別手段により切換処理が否と判別された場合であって前記操作信号から変換されたコマンドを待機させた後実行させることが可能である場合は前記コマンドを一時記憶メモリに格納して待機させるとともにコマンド待機信号を生成して出力する手段と、前記判別手段により切換処理が否と判別された場合であって前記操作信号から変換されたコマンドを待機させた後実行させることが不可能である場合はコマンド不受理信号を生成して出力する手段と、前記コマンド待機信号および前記コマンド不受理信号をリモコン側へ送信する送信器とをテレビ本体側に備え、
テレビ本体の送信器から送信された信号を受信する受信器と、表示灯と、前記受信器に前記コマンド待機信号が受信された場合に、前記表示灯を第１の点滅パターンにより点滅させる手段と、前記受信器に前記コマンド不受理信号が受信された場合に前記表示灯を第２の点滅パターンにより点滅させる手段とをリモコンに備えたことを特徴とするリモートコントロールシステム。
【請求項４】
請求項３に記載のリモートコントロールシステムにおいて、
前記表示灯は、リモコンの操作ボタンに内蔵されたＬＥＤであることを特徴としたリモートコントロールシステム。
【請求項５】
請求項１乃至４のいずれか１項に記載のリモートコントロールシステムを備えたことを特徴とするテレビ。
【発明の詳細な説明】
【技術分野】
【０００１】
本発明は、リモートコントロールシステムおよびそのリモートコントロールシステムを備えたテレビに関する。
【背景技術】
【０００２】
従来、テレビの操作には、ワイヤレスのリモコンが使われるのが一般的である。従来のリモコンは、テレビ本体へ、操作信号を送るだけの一方向であった。そのため、リモコンからテレビ本体へ操作信号を送った後、テレビ本体側が送信された信号に応じて、動作状態が変化したか否かは、テレビ本体の表示を見て、確認しなければならなかった。また、リモコン側では、テレビ本体側の動作状態とは無関係に、一方的に、操作信号を送ってしまう不都合があった。そこで、リモコン側でも、テレビ本体側の動作状態を確認できるいわば双方向のリモートコントロールシステムが、特許文献１として提案されている。このリモートコントロールシステムは、装置本体側の動作モードが、リモコン側のディスプレイに表示されるため、そのディスプレイを確認しながら操作することができる。
【特許文献１】特開昭６３−９４７２８号公報
【発明の開示】
【発明が解決しようとする課題】
【０００３】
しかしながら、上述した特許文献１に記載のリモートコントロールシステムは、リモコン側で装置本体のテレビ等の動作モードが確認できるものの、操作信号を受信したテレビ本体が入力切替処理中などのため、リモコンのボタンを押しても、テレビが反応しない場合がある。この場合、ユーザは、「リモコンから（電池切れ等で）信号が送られていないのか」、あるいは「テレビに信号が届いているが処理がされないのか」、あるいは「信号を受け付け、（受け付けた信号をバッファに保存し）現在の処理が終わった後に処理を行うのか」が、視覚的に分からない状態となる。そこで、本発明は、リモコン側でも、テレビ本体側が、リモコンから送られたコマンドを入力処理できる状態か否かを確認することができるようにしたリモートコントロールシステムおよびテレビを提案することを目的とした。
【課題を解決するための手段】
【０００４】
上記課題を解決するために、本発明のリモートコントロールシステムは、操作信号をワイヤレス又はワイヤードでテレビ本体へ送信するリモートコントロールシステムにおいて、  不受理／受理報知の為の報知手段をリモコン上に設けたことを特徴とする。また、本発明のリモートコントロールシステムは、操作信号をワイヤレス又はワイヤードでテレビ本体へ送信するリモートコントロールシステムにおいて、リモコンからの操作信号がテレビ本体に受信されたときにテレビ本体が前記操作信号に基づいて切換処理が可能か否かを判別する判別手段と、該判別手段により切換処理が否と判別された場合であって前記操作信号から変換されたコマンドを待機させた後実行させることが可能である場合は前記コマンドを一時記憶メモリに格納して待機させるとともにコマンド待機信号を生成して出力する手段と、前記判別手段により切換処理が否と判別された場合であって前記操作信号から変換されたコマンドを待機させた後実行させることが不可能である場合はコマンド不受理信号を生成して出力する手段と、前記コマンド待機信号および前記コマンド不受理信号をリモコン側へ送信する送信器とをテレビ本体側に備え、テレビ本体の送信器から送信されたコマンド待機信号および前記コマンド不受理信号を受信する受信器と、コマンド待機表示手段と、コマンド不受理表示手段と、前記受信器に前記コマンド待機信号が受信された場合に前記コマンド待機表示手段を点灯させる手段と、前記受信器に前記コマンド不受理信号が受信された場合に前記コマンド不受理表示手段を点灯させる手段とをリモコンに備えたことを特徴とする。
【０００５】
また、本発明のリモートコントロールシステムは、操作信号をワイヤレス又はワイヤードでテレビ本体へ送信するリモートコントロールシステムにおいて、リモコンからの操作信号がテレビ本体に受信されたときにテレビ本体が前記操作信号に基づいて切換処理が可能か否かを判別する判別手段と、該判別手段により切換処理が否と判別された場合であって前記操作信号から変換されたコマンドを待機させた後実行させることが可能である場合は前記コマンドを一時記憶メモリに格納して待機させるとともにコマンド待機信号を生成して出力する手段と、前記判別手段により切換処理が否と判別された場合であって前記操作信号から変換されたコマンドを待機させた後実行させることが不可能である場合はコマンド不受理信号を生成して出力する手段と、前記コマンド待機信号および前記コマンド不受理信号をリモコン側へ送信する送信器とをテレビ本体側に備え、テレビ本体の送信器から送信された信号を受信する受信器と、表示灯と、前記受信器に前記コマンド待機信号が受信された場合に、前記表示灯を第１の点滅パターンにより点滅させる手段と、前記受信器に前記コマンド不受理信号が受信された場合に前記表示灯を第２の点滅パターンにより点滅させる手段とをリモコンに備えたことを特徴とする。また、本発明のテレビは、上述したリモートコントロールシステムを備えたことを特徴とする。
【発明の効果】
【０００６】
以上述べたように本発明によれば、テレビ本体がリモコン側から送られたコマンドに対して、切換処理が可能か否か、さらに否の場合はそのコマンドが待機とされるのか、不受理とされるのかが、リモコン側の表示により確認できるため、テレビにおけるリモコン操作の使い勝手が向上する。
【発明を実施するための最良の形態】
【０００７】
以下、図に基づいて本発明を液晶テレビに適用した場合の実施形態について説明する。図１はテレビ本体とリモコンの電気的構成を示すブロック図であり、図２はリモコンに関する動作を示すフローチャートであり、図３はリモコンの外観図である。
【０００８】
先ず、液晶テレビ本体の動作について説明する。図１において、テレビ本体１０のアンテナ１に受信された受信信号は受信部２に送られる。受信部２は、入力された受信信号を映像信号および音声信号に変換して、切替部４に送る。また、外部情報入力部３は、図示しないビデオデッキやＤＶＤプレーヤに接続されてそれらから送られてくる、映像信号および音声信号を切替部４に送る。切替部４は、中央制御部９からの指令に基づき、受信部２から送られた映像信号および音声信号と、外部情報入力部３から送られた映像信号および音声信号とのいずれかを選択して、映像信号は映像処理部５へ送り、音声信号は音声処理部６へ送る。映像処理部５は、入力された映像信号に基づいて画面７に映像を映すとともに、中央制御部９からの指令に基づきＯＳＤの表示がなされる。音声処理部６は、入力された音声信号に基づいてスピーカー８を駆動して音声を出力させるとともに、中央制御部９からの指令に基づき、音量調節や消音がなされる。
【０００９】
また、テレビ本体１０には、操作部１１があり、電源の入り切り、音量調節、チャンネルおよび入力の切替等の操作がなされると、その操作信号を中央制御部９へ送る。赤外線受信部１２は、リモコン２０から送られた操作信号を受信して、それを中央制御部９へ送る。赤外線送信部１３は、中央制御部９から送られてきた、リモコンの操作信号に対するテレビ本体１０側の対応状況に関する信号を、赤外線信号として、リモコン２０側へ発信する。記憶部１４は、中央制御部９におけるコマンド処理の結果等を一時記憶しておくことに用いられる。
【００１０】
これらのことから、中央制御部９は、操作部１１からの操作信号、および赤外線受信部１２からの操作信号に基づいて、切替部４へ切替指令を送るとともに、映像処理部５におけるＯＳＤの制御や、音声処理部６の音量等の制御をする。また、中央制御部９は、赤外線受信部１２からの操作信号に対して、そのコマンドによる切替処理が可能か否か、否の場合はそのコマンドを一時保持して処理が可能になるまで待機することが可能か否かに対応したコマンド待機信号またはコマンド不受理信号を作成して、赤外線送信部１３へ送る。さらに、赤外線受信部１２からのコマンドによる切替処理を直ちに実施することが不可能な場合であってそのコマンドを処理が可能になるまで一時保持する場合はそのコマンドを、記憶部１４に一時格納しておく。
【００１１】
図１の２０はリモコンであり、テレビ本体１０側へ操作信号を送信する赤外線送信部２１と、テレビ本体１０側からの応答信号を受信する赤外線受信部２２を備えている。また、リモコン２０には、ＬＥＤからなるランプ２３と、リモコン制御部２４と、操作部２５がある。操作部２５は、操作用のボタン２６とそのボタン２６に内蔵されるＬＥＤ２７とからなる。リモコン制御部２４は、ボタン２６が押下されると、該当するＬＥＤ２７やランプ２３を点灯するとともに、そのボタン２６に対応する操作信号を作成して、赤外線送信部２１へ送り、テレビ本体１０側へ送信させる。
【００１２】
さらに、リモコン制御部２４は、テレビ本体１０側へ送信した操作信号に対して、その応答信号が、テレビ本体１０側から送信されて赤外線受信部２２に受信された場合に、その信号がコマンド待機信号か、コマンド不受理信号かを弁別して、その信号に該当するランプ２３、またはその操作に対応したＬＥＤ２７を点灯したり、それぞれに予め定めておいた点滅パターンにより点滅表示させたりする。これらランプ２３およびＬＥＤ２７が、コマンド待機表示手段およびコマンド不受理表示手段を構成する。
【００１３】
次に、リモコン２０からテレビ本体１０側へ操作信号を送信した直後のテレビ本体１０とリモコン２０の動作について、図２に基づいて図１および図３を参照しながら説明する。リモコン２０からの操作信号がテレビ本体１０の赤外線受信部１２に受信されると、中央制御部９は、切替部４、映像処理部５、音声処理部６が切替え処理中であって、受信した操作信号に対応するコマンドの実行が可能か否かを判断する（ステップＳ１）。ここで、コマンドを直ちに実行することが不可能である場合は（ステップＳ１ＹＥＳ）、さらに、そのコマンドを実行できるまで保存して待機することが可能か否かを判断する（ステップＳ２）。
【００１４】
ここで、コマンドを実行できるまで保存して待機することが可能である場合は（ステップＳ２ＹＥＳ）、中央制御部９は、そのコマンドをキャッシュすなわち記憶部１４に格納する（ステップＳ３）。次いで、中央制御部９は、そのコマンドを待機させたことを表すコマンド待機信号を作成し、赤外線送信部１３を介してリモコン２０側へ送信する（ステップＳ４）。次に、コマンド待機信号は、リモコン２０側の赤外線受信部２２に受信されてリモコン制御部２４に入力されると、リモコン制御部２４によりコマンド待機信号に対応するランプ２３を点灯するか、あるいはその直前に操作されたボタン２６のＬＥＤ２７を、コマンド待機信号に対して予め定めておいた点滅パターンＡにより点滅表示させる（ステップＳ５）。
【００１５】
また、ステップＳ２において、コマンドを実行できるまで保存して待機することが不可能である場合は（ステップＳ２ＮＯ）、中央制御部９は、そのコマンドを不受理とし、不受理としたことを表すコマンド不受理信号を作成し、赤外線送信部１３を介してリモコン２０側へ送信する（ステップＳ６）。次に、コマンド不受理信号は、リモコン２０側の赤外線受信部２２に受信されてリモコン制御部２４に入力される。すると、リモコン制御部２４は、コマンド不受理信号に対応するランプ２３を点灯するか、あるいはその直前に操作されたボタン２６のＬＥＤ２７を、コマンド不受理信号に対して予め定めておいた点滅パターンＢにより点滅表示させる（ステップＳ７）。ここでの点滅パターンＡ，Ｂの差別化としては、例えば、点滅パターンＡは点滅パターンＢよりも点滅周期を短くしたり、または、点滅パターンＡは点滅周期を一定にしておいて、点滅パターンＢの点滅周期を不連続に変化する周期としたりすることができる。
【００１６】
また、ステップＳ１において、中央制御部９は、受信した操作信号に対応するコマンドの実行が可能か否かを判断したとき、コマンドを直ちに実行することが不可能でない場合は（ステップＳ１ＮＯ）、すなわち、そのコマンドを直ちに実行できる場合は、そのコマンドを実行する通常動作を行い、リモコン２０側へは応答信号を送らないで処理を終了する（ステップＳ８）。このとき、リモコン２０側のランプ２３およびＬＥＤ２７は点灯または点滅されることがない。これらの処理により、ユーザは、リモコン２０を操作して、テレビ本体１０の切替えをしたとき、画面７の表示で、切替え処理がなされない場合は、リモコン２０側のランプ２３またはＬＥＤ２７の点灯または点滅により、操作がテレビ本体１０側に受け付けられなかったか、あるいは受け付けられたが処理中のため待機とされたかが確認できるため、操作性、使い勝手が向上する。
【００１７】
なお、上述した実施形態では、リモコン２０から送信した操作信号に基づくコマンドが直ちに実行された場合には、画面７に、そのコマンドに対応する処理がＯＳＤにより表示されるため、特に、リモコン２０へ応答信号を送らないようにしている。送信した操作信号に対して直ちに実行された場合にも、リモコン２０での表示が必要な場合は、その応答を示す信号をリモコン２０へ返信して表示させるように構成することも可能である。また、リモコン２０側の表示手段は、ランプ２３の点滅か、ボタン２６に内蔵したＬＥＤ２７の点滅とするとともに、特に、ランプ２３で表示させようとした場合は、点滅パターンによる表示でなくて、点灯または消灯とすることでも表示可能である。
【産業上の利用可能性】
【００１８】
本発明に係るリモコンは、テレビに利用する以外に、他のＡＶ機器や家電のリモコンに利用可能である。
【図面の簡単な説明】
【００１９】
【図１】本発明の実施形態のテレビ本体とリモコンの電気的構成を示すブロック図である。
【図２】本発明の実施形態のリモコンの動作を示すフローチャートである。
【図３】本発明が適用されるリモコンの外観図である。
【符号の説明】
【００２０】
１  アンテナ
２  受信部
３  外部情報入力部
４  切替部
５  映像処理部
６  音声処理部
７  画面
８  スピーカー
９  中央制御部
１０  テレビ本体
１１  操作部
１２  赤外線受信部
１３  赤外線送信部
１４  記憶部
２０  リモコン
２１  赤外線送信部
２２  赤外線受信部
２３  ランプ
２４  リモコン制御部
２５  操作部
２６  ボタン
２７  ＬＥＤ  
【図１】
2007324942.tif 000003
【図２】
2007324942.tif 000004
【図３】
2007324942.tif 000005